(57)【要約】  ＭＰＥＧデコーダ１１８は、標準放送用映像データパケットをデコードして標準放送用映像データを作成するとともに、デコードエラーを検出し、ＭＰＥＧデコーダ１２０は、降雨対策放送用映像データパケットをデコードして降雨対策放送用映像データを作成し、合成部１２６は、標準放送用映像データの誤り部分を降雨対策放送用映像データの対応部分に置き換えた合成信号を生成する。
2007525873.tif 000002
【特許請求の範囲】
【請求項１】
第１及び第２のテレビ放送信号を受信する受信手段と、
前記受信手段により受信された第１のテレビ放送信号を復号化する第１の復号化手段と、
前記受信手段により受信された第２のテレビ放送信号を復号化する第２の復号化手段と、
前記第１の復号化手段により復号化された第１のテレビ放送信号の復号誤り部分を検出する検出手段と、
前記検出手段により検出された第１のテレビ放送信号の復号誤り部分を前記第２の復号化手段により復号化された第２のテレビ放送信号の対応部分に置き換えた合成信号を生成する合成手段とを備えることを特徴とする放送受信装置。
【請求項２】
前記第１及び第２の復号化手段の少なくとも一方は、前記合成手段により生成された合成信号を用いて復号化を行うことを特徴とする請求項１記載の放送受信装置。
【請求項３】
前記第１の復号化手段及び前記検出手段は、前記第１のテレビ放送信号を復号化するとともに、前記第１のテレビ放送信号の復号化時に第１のテレビ放送信号の復号誤り部分を検出して検出結果を前記合成手段へ出力する復号化及び検出手段から構成されることを特徴とする請求項１記載の放送受信装置。
【請求項４】
前記第１の復号化手段により復号化された第１のテレビ放送信号を記憶する第１の記憶手段と、
前記第２の復号化手段により復号化された第２のテレビ放送信号を記憶する第２の記憶手段をさらに備え、
前記合成手段は、前記第１及び第２の記憶手段から復号化された第１及び第２のテレビ放送信号を読み出し、前記検出手段により検出された第１のテレビ放送信号の復号誤り部分を前記第２の記憶手段から読み出された第２のテレビ放送信号の対応部分に置き換えた合成信号を生成することを特徴とする請求項１記載の放送受信装置。
【請求項５】
前記受信手段により受信された第１及び第２のテレビ放送信号を時分割して出力する時分割手段とをさらに備え、
前記第１及び第２の復号化手段は、前記時分割手段により時分割して出力される第１及び第２のテレビ放送信号を交互に復号化する単一復号化手段から構成されることを特徴とする請求項１記載の放送受信装置。
【請求項６】
前記合成手段から出力される合成信号を記憶する第１の記憶手段と、
前記単一復号化手段により復号化された第２のテレビ放送信号を記憶する第２の記憶手段とをさらに備え、
前記合成手段は、前記検出手段により第１のテレビ放送信号の復号誤り部分が検出されない場合は、前記単一復号化手段により復号化された第２のテレビ放送信号を前記第１の記憶手段に記憶させ、前記検出手段により第１のテレビ放送信号の復号誤り部分が検出された場合は、当該復号誤り部分に対応する第２のテレビ放送信号の部分を前記第２の記憶手段から読み出して前記第１の記憶手段に記憶させることを特徴とする請求項５記載の放送受信装置。
【請求項７】
前記単一復号化手段は、前記検出手段により第１のテレビ放送信号の復号誤り部分が検出された場合、前記第１の記憶手段に記憶されている合成信号を用いて前記第１のテレビ放送信号を復号化することを特徴とする請求項６記載の放送受信装置。
【請求項８】
前記単一復号化手段及び前記検出手段は、前記第２のテレビ放送信号を復号化した後、当該第２のテレビ放送信号に対応する第１のテレビ放送信号を復号化し、前記第１のテレビ放送信号の復号化時に第１のテレビ放送信号の復号誤り部分を検出して検出結果を前記合成手段へ出力する復号化及び検出手段から構成されることを特徴とする請求項４記載の放送受信装置。
【請求項９】
前記第１及び第２のテレビ放送信号は、デジタルテレビ放送信号であり、
前記第１のテレビ放送信号は、前記第２のテレビ放送信号と同じ内容を有し且つ前記第２のテレビ放送信号より高画質であることを特徴とする請求項１から８のいずれかに記載の放送受信装置。
【請求項１０】
前記第２のテレビ放送信号は、前記第１のテレビ放送信号の降雨対策放送信号であることを特徴とする請求項９記載の放送受信装置。
【請求項１１】
前記第１及び第２のテレビ放送信号は、デジタルテレビ放送信号であり、
前記第１のテレビ放送信号は、前記第２のテレビ放送信号と同じ内容を有し且つ前記第２のテレビ放送信号の変調方式より視聴可能な受信Ｃ／Ｎが高い変調方式により変調されていることを特徴とする請求項１から８のいずれかに記載の放送受信装置。
【請求項１２】
第１及び第２のテレビ放送信号を受信する受信ステップと、
前記受信ステップにおいて受信された第１のテレビ放送信号を復号化する第１の復号化ステップと、
前記受信ステップにおいて受信された第２のテレビ放送信号を復号化する第２の復号化ステップと、
前記第１の復号化ステップにおいて復号化された第１のテレビ放送信号の復号誤り部分を検出する検出ステップと、
前記検出ステップにおいて検出された第１のテレビ放送信号の復号誤り部分を前記第２の復号化ステップにおいて復号化された第２のテレビ放送信号の対応部分に置き換えた合成信号を生成する合成ステップとを含むことを特徴とする放送受信方法。
【請求項１３】
復号化された第１のテレビ放送信号の復号誤り部分を検出する検出手段と、
前記検出手段により検出された第１のテレビ放送信号の復号誤り部分を、復号化された第２のテレビ放送信号の対応部分に置き換えた合成信号を生成する合成手段としてコンピュータを機能させることを特徴とする放送受信プログラム。
【請求項１４】
第１のテレビ放送信号を復号化する第１の復号化回路と、
第２のテレビ放送信号を復号化する第２の復号化回路と、
前記第１の復号化回路により復号化された第１のテレビ放送信号の復号誤り部分を検出する検出回路と、
前記検出回路により検出された第１のテレビ放送信号の復号誤り部分を前記第２の復号化回路により復号化された第２のテレビ放送信号の対応部分に置き換えた合成信号を生成する合成回路とを備えることを特徴とする放送受信回路。
【発明の詳細な説明】
【技術分野】
【０００１】
本発明は、テレビ放送信号を受信し、その受信した信号を復号化する放送受信装置、放送受信方法、放送受信プログラム及び放送受信回路、並びにこれらと同等の機能を行う部分をその一部に含む装置に関し、特に、同じ内容の番組を比較的高画質と比較的低画質とで放送する２種類以上のテレビ放送信号を受信することのできる放送受信装置、放送受信方法、放送受信プログラム及び放送受信回路、並びにこれらと同等の機能を行う部分をその一部に含む装置に関するものである。
【背景技術】
【０００２】
ＢＳアナログ放送では、変調方式としてＦＭ変調方式が採用されている。この変調方式では受信Ｃ／Ｎが１０ｄＢ程度以上なら視聴可能な受信画質が得られるが、受信Ｃ／Ｎが１０ｄＢ程度を下回るとトランケーションノイズが発生し、視聴可能な受信品質が得られない。しかしながら、ＢＳアナログ放送では受信Ｃ／Ｎの低下に伴い、比較的徐々に受信画質が低下する。
【０００３】
一方、ＢＳデジタル放送では、降雨等に起因して受信Ｃ／Ｎが所定の値以下になると、ＢＳアナログ放送に比べて急激に受信品質の劣化を招く。これを回避するために、階層変調サービスが提供されている。
【０００４】
日本において、上記のＢＳデジタル放送では、変調方式として少なくとも７つの方式、８ＰＳＫ２／３、ＱＰＳＫ７／８、ＱＰＳＫ５／６、ＱＰＳＫ３／４、ＱＰＳＫ２／３、ＱＰＳＫ１／２、ＢＰＳＫ １／２が利用可能である。
【０００５】
８ＰＳＫ ２／３のビットレートは最も高く、その伝送速度は２０Ｍｂｐｓ程度である。以下、ＱＰＳＫ７／８、ＱＰＳＫ５／６、ＱＰＳＫ３／４、ＱＰＳＫ２／３、ＱＰＳＫ１／２、ＢＰＳＫ１／２の順にビットレートは低くなる。最も低いＢＰＳＫ１／２の伝送レートは２Ｍｂｐｓ程度である。
【０００６】
また、ハイビジョン放送における高精細画像（ＨＤ）では、ＭＰＥＧ圧縮を行った画像を伝送するのに２０Ｍｂｐｓ程度のビットレートが必要であり、ハイビジョン放送によるＢＳデジタル放送では８ＰＳＫ２／３の変調方式が採用されている。
【０００７】
この変調方式では受信Ｃ／Ｎが９．５ｄＢ以上なら高い受信品質が得られるが、受信Ｃ／Ｎが９．５ｄＢを下回ると急激に受信品質の劣化を招き、視聴不可能な状態となる。すなわち、ＢＳアナログ放送のＦＭ変調における所要Ｃ／Ｎは約１０ｄＢであったが、ＢＳデジタル放送の８ＰＳＫ２／３変調での所要Ｃ／Ｎは約９．５ｄＢである。
【０００８】
従って、ＢＳデジタル放送の８ＰＳＫ２／３変調方式では受信Ｃ／Ｎが９．５ｄＢ程度を下回ると急激に受信品質の劣化を招くことになるので、これを回避するために階層変調サービスが提供される。
【０００９】
この階層変調サービスに関する従来のデジタルテレビ放送受信装置としては、例えば、特許文献１に開示される受信装置がある。この受信装置では、高階層情報と低階層情報とにそれぞれ適した復調処理を行い、高階層情報と低階層情報とを切り替えることが開示されている。
【００１０】
上記のように、階層変調サービスでは、番組毎に高品質の映像信号（高階層情報という）に加えて、電波が弱くなっても安定的に受信できるような番組の基本となる映像だけを含む信号（低階層情報という）が併せて伝送される。
【００１１】
高階層情報用には、例えば８ＰＳＫ２／３変調方式を採用し、低階層情報用には、例えばＢＰＳＫ１／２変調方式を採用する。ＢＰＳＫ１／２変調方式では伝送速度が低いため、高い画質は得られないが、受信Ｃ／Ｎがほぼ０ｄＢになるまで視聴可能な最低限の受信品質を維持することができる。
【００１２】
受信装置側では、同時に伝送されてくる高階層情報と低階層情報とを、受信Ｃ／Ｎに応じて切り替えて視聴が行われる。受信Ｃ／Ｎが９．５ｄＢ以上ならば８ＰＳＫ２／３変調された高階層情報を受信して復号化を行い、この画像が視聴される。一方、受信Ｃ／Ｎが悪化し、９．５ｄＢ程度を下回った段階で、ＢＰＳＫ１／２変調された低階層情報に切り替えてこの信号を復号化し、この画像が視聴される。
【００１３】
上記の高階層情報及び低階層情報を受信する従来のデジタルテレビ放送受信装置としては、例えば、特許文献２に開示される階層変調サービス受信装置がある。図８は、このＢＳデジタルテレビ放送受信装置の主要部の構成を示すブロック図である。
【００１４】
図８に示すように、アンテナ（図示省略）で受信されたＢＳ１〜ＢＳ１５チャンネルの変調波を含む放送ストリームＢＣＳは、チューナー９１２により選局され、復調・復号部９１４によりトランスポートストリーム（ＴＳ）のパケット（ＴＳＰ）化が行われる。ＴＳＰ処理部９１８は、該当サービスパケットを選択すると共に映像と音声との分離を行い、映像デコード部（ＭＰＥＧデコード部を含む）９２２とＤＡ変換部９２４とを経由して映像出力信号ＶＳが出力される。また、ＴＳＰ処理部９１８により選択された音声データパケットは、音声デコード部９２３とＤＡ変換部９２５とを経由し、音声出力信号ＡＳが出力される。
【００１５】
また、ＢＳデジタル放送では、受信料を支払った特定のユーザだけを視聴可能とする限定受信方式が採用されることがある。このケースでは放送ストリームＢＣＳには、暗号化（スクランブル）された放送番組データと個別情報（スクランブル解除のための鍵を含む）とが含まれ、制御部９１６には受信した放送ストリームＢＣＳに含まれる個別情報を処理するためのＩＣカード回路等が接続される。
【００１６】
一方、高階層情報の出力エラーレートと低階層情報の出力エラーレートとに相当するデータは、復調・復号部９１４により検出され、制御部９１６がその値を常時監視する（例えば、１０ｍｓ毎）。階層変調サービスが行われているか否かを示す情報は、ＭＰＥＧで規定される階層伝送記述子ＰＭＴに記録されており、ＴＳＰ処理部９１８は、階層伝送記述子ＰＭＴを復号したとき、階層伝送記述子ＰＭＴを制御部９１６に通知する。
【００１７】
復調・復号部９１４は、復調回路と、ビタビ誤り訂正回路と、リードソロモン誤り訂正回路とを有している。復調回路は、チューナー９１２により周波数変換されたデジタル変調信号をベースバンド信号に復調する。ビタビ誤り訂正回路及びリードソロモン誤り訂正回路は、復調回路により復調されたベースバンド信号をそれぞれビタビ誤り訂正及びリードソロモン誤り訂正を行って復号化し、ＴＳＰ処理部９１８へ出力する。
【００１８】
データの誤り率（ビットエラーレート、以下ＢＥＲと記す）は、復調回路と、ビタビ誤り訂正回路と、リードソロモン誤り訂正回路とで検出することが可能である。例えば、復調回路でのＢＥＲが０．０１であったとすると、ビタビ誤り訂正回路でのＢＥＲは０．０００１、リードソロモン誤り訂正回路でのＢＥＲは０．０００００００１のように、順次誤りが訂正されるのでエラーレートは低下する。
【００１９】
最終的なエラーレートが復調・復号部９１４から制御部９１６へ送られ、制御部９１６は、このエラーレートを基に高階層情報と低階層情報とのいずれかを選択し、その選択結果をＴＳＰ処理部９１８に通知する。ＴＳＰ処理部９１８では制御部９１６からの通知に基づいて、高階層情報の映像・音声データパケットか、低階層情報の映像・音声データパケットかのいずれかを選択し、それぞれ映像デコード部９２２と音声デコード部９２３とに送信する。これによって、例えば降雨等によって受信信号レベルが悪化したようなケースでも、少なくとも低階層情報を視聴することが可能になる。
【特許文献１】特許第３２５３５２４号公報
【特許文献２】特開２００２−００９８５４号公報
【発明の開示】
【発明が解決しようとする課題】
【００２０】
しかしながら、このような従来技術では、ある予め定められた受信レベルを基準に高階層情報と低階層情報との視聴切り替えを行うため、必ずしも１つの画面を構成する全ての画像データで受信エラーとなっているのではないにも拘わらず、画面全体が低階層情報の低品質な画像に切り替えられて表示されてしまう。
【００２１】
また、頻繁に高階層情報画像と低階層情報画像との切り替わりが起り、視聴画面にチラツキ（フリッカー）が生じることを防止するため、高階層情報画像と低階層情報画像との切り替えに所謂ヒステリシスを持たせることが行われる。これは、高階層情報画像から低階層情報画像への視聴切り替えが一旦行われると、ある一定レベル以上充分に受信信号レベルが回復しない限り、高階層情報画像に復帰させない機能である。
【００２２】
この機能によって高階層情報画像と低階層情報画像とが頻繁に切り替わり、視聴画面にチラツキが生じることは防止できるが、その一方、視聴者は必ずしもその期間中全ての高階層情報画像の受信ができないのではないにも拘わらず、長時間低品質な画像の視聴を強いられることとなる。
【００２３】
本発明の目的は、第１の放送信号を部分的に正常に受信できなかった場合でも、正常に受信できた第２の放送信号の対応部分を用いて高画質な映像を作成することができる放送受信装置を提供することである。
【課題を解決するための手段】
【００２４】
本発明の一局面に従う放送受信装置は、第１及び第２のテレビ放送信号を受信する受信手段と、受信手段により受信された第１のテレビ放送信号を復号化する復号化手段と、受信手段により受信された第２のテレビ放送信号を復号化する復号化手段と、第１の復号化手段により復号化された第１のテレビ放送信号の復号誤り部分を検出する検出手段と、検出手段により検出された第１のテレビ放送信号の復号誤り部分を第２の復号化手段により復号化された第２のテレビ放送信号の対応部分に置き換えた合成信号を生成する合成手段とを備える。
【００２５】
この放送受信装置においては、第１及び第２のテレビ放送信号が受信され、受信された第１及び第２のテレビ放送信号がそれぞれ復号化される。このとき、復号化された第１のテレビ放送信号の復号誤り部分が検出され、検出された第１のテレビ放送信号の復号誤り部分を復号化された第２のテレビ放送信号の対応部分に置き換えた合成信号が生成される。したがって、第１の放送信号のうち正常に受信できた部分と、正常に受信できなかった部分に対応する第２の放送信号の部分とを用いて映像を合成することができ、第１の放送信号を部分的に正常に受信できなかった場合でも、正常に受信できた第２の放送信号の対応部分を用いて高画質な映像を作成することができる。
【発明を実施するための最良の形態】
【００２６】
以下に本発明の各実施の形態について図面を参照しながら説明する。
【００２７】
（第１の実施の形態）
まず、本発明の第１の実施の形態によるデジタルテレビ放送受信装置について説明する。図１は、本発明の第１の実施の形態によるデジタルテレビ放送受信装置の主要部の構成を示すブロック図である。
【００２８】
図１に示すデジタルテレビ放送受信装置１００は、チューナー１１３、ＴＳ（トランスポートストリーム）デコーダ１１２、標準放送用バッファ１１４、降雨対策放送用バッファ１１６、ＭＰＥＧデコーダ１１８，１２０、標準放送用フレームバッファ１２２、降雨対策放送用フレームバッファ１２４、合成部１２６、表示用フレームバッファ１２８及び表示部１３０を備える。なお、デジタルテレビ放送受信装置としては、図示のように各ブロックを専用回路から構成する例に特に限定されず、マイクロコンピュータやその他の周辺ＬＳＩ等から構成する等の種々の変更が可能である。
【００２９】
放送局から放送され、アンテナ（図示省略）により受信された放送ストリームＢＣＳは、チューナー１１３に入力され、チューナー１１３により所定のチャンネルが選局される。この放送ストリームＢＣＳには、高品質の映像を再現することのできる高画質映像データである標準放送用映像データと、降雨時等でも最低限の映像を再現することのできる低画質映像データである降雨対策放送用データとが含まれている。
【００３０】
選局された信号は、復調部１１５に送られ、復調部１１５により復調される。ここまでの処理は上記従来のＢＳデジタルテレビ放送受信装置９００と同様であるから詳細な説明は省略する。
【００３１】
復調された信号は、ＴＳデコーダ１１２に入力される。ＴＳデコーダ１１２によりデコードされた映像データパケットは、標準放送用映像データパケットと降雨対策放送用映像データパケットとに分けられ、それぞれ標準放送用バッファ１１４と降雨対策放送用バッファ１１６とに一旦格納される。
【００３２】
標準放送用バッファ１１４に格納された標準放送用映像データパケットと、降雨対策放送用バッファ１１６とに格納された降雨対策放送用映像データパケットとは、それぞれＭＰＥＧデコーダ１１８とＭＰＥＧデコーダ１２０とに送られてデコードされ、その後、標準放送用フレームバッファ１２２と降雨対策放送用フレームバッファ１２４とにそれぞれ格納される。
【００３３】
ＭＰＥＧデコーダ１１８は、標準放送用映像データパケットをデコードするとき、放送ストリームＢＣＳの受信が順調に行えなかったとか、その他の理由によって、標準放送用映像データパケットのデコードにエラーが発生したことを検出してデコードエラー情報を合成部１２６へ出力する。例えば、デコードエラー情報として、ＭＰＥＧデコーダ１１８は、１フレーム毎にエラー情報テーブルを作成し、１フレーム毎にエラー情報テーブルと該当フレームに付加されたＰＴＳ（Presentation Time Stamp）とを合成部１２６に通知する。
【００３４】
エラー情報テーブルは、ＭＰＥＧデコーダ１１８により検出可能な最小単位ごとにエラー情報を有し、エラー情報は、エラーがあれば１、そうでなければ０というような単純な方法でエラー情報テーブルに格納される。例えば、ＭＰＥＧデコーダ１１８がマクロブロック単位でエラーを検出できる場合、標準放送用映像の解像度が７２０×４８０画素とすると、エラー情報テーブルは、４５×３０ビットのテーブルデータから構成される。
【００３５】
具体的には、ピクチャレイヤのデコード中にＳｔａｒｔＣｏｄｅ検出エラーやシンタックスエラー等を検出した場合、ＭＰＥＧデコーダ１１８は、エラー情報テーブルに全て１を設定する。スライスレイヤのデコード中にＳｔａｒｔＣｏｄｅ検出エラーやシンタックスエラー等を検出した場合、ＭＰＥＧデコーダ１１８は、エラー情報テーブルの該当するスライス行に全て１を設定する。
【００３６】
また、マクロブロック以下の領域のデコード中にＶＬＤデコードエラーを検出した場合、ＭＰＥＧデコーダ１１８は、エラー情報テーブルの該当するスライス行に全て１を設定する。マクロブロック以下の領域のデコード中に範囲外のＭＶ検出やＤＣＴ係数異常検出等を行った場合、ＭＰＥＧデコーダ１１８は、エラー情報テーブルの該当するマクロブロック箇所に１を設定する。
【００３７】
なお、エラー検出方法は、上記の例に特に限定されず、種々の変更が可能である。例えば、コンポーネント信号の範囲外の輝度情報を使用する方法、具体的にはＣＣＩＲ−ＲＥＣ６０１による４：２：２標本化規格の輝度信号（Ｙ）が規格範囲（１６〜２５５）以外であることを検出する方法等を用いてもよい。
【００３８】
また、本実施の形態では、ＭＰＥＧデコーダ１１８が、標準放送用映像データパケットをデコードするとともに、このときのデコードエラーを検出しているが、デコードエラー検出回路を別途設け、ＭＰＥＧデコーダが標準放送用映像データパケットをデコードし、デコードエラー検出回路がデコードエラーを検出してデコードエラー情報を合成部１２６へ出力するようにしてもよい。
【００３９】
標準放送用フレームバッファ１２２と降雨対策放送用フレームバッファ１２４とに格納された標準放送用映像データと降雨対策放送用映像データとは、それぞれ同期して各フレームバッファから読み出され、合成部１２６へ送られる。
【００４０】
合成部１２６は、エラー情報テーブルにより標準放送用フレームバッファ１２２のエラー位置を特定するとともに、ＰＴＳにより同一時間の降雨対策放送用フレームバッファ１２４の対応位置を特定し、標準放送用フレームバッファ１２２のエラー位置の画像データを降雨対策放送用フレームバッファ１２４の対応位置の画像データで置き換えて表示用フレームバッファ１２８へ出力する。このとき、標準放送用映像データの解像度と降雨対策放送用映像データの解像度とが異なる場合、合成部１２６は、両者の解像度比率に応じて拡大又は縮小処理を行い、処理後の画像データを表示用フレームバッファ１２８へ出力する。
【００４１】
ここで、図２を用いて、上記のようにして合成部１２６へ送られる標準放送用映像データと降雨対策放送用映像データとの合成方法を具体的に説明する。
【００４２】
図２に示すように、合成部１２６には、標準放送用フレームバッファ１２２から標準放送用映像データ２２０が入力され、降雨対策放送用フレームバッファ１２４から降雨対策放送用映像データ２３０が入力される。また、合成部１２６には、ＭＰＥＧデコーダ１１８から標準放送用映像データ２２０のデコードエラー情報が送られ、合成部１２６は、この情報を基に標準放送用映像データ２２０の正常受信データ部２７２と異常受信データ部２７４との判別を行う。
【００４３】
次に、合成部１２６は、降雨対策放送用フレームバッファ１２４から入力された降雨対策放送用映像データ２３０から、上記判別した標準放送用映像データ２２０の異常受信データ部２７４の画面に相当する部分２７６を抽出する。
【００４４】
次に、合成部１２６は、標準放送用映像データ２２０の正常受信データ部２７２と、降雨対策放送用映像データ２３０中の標準放送用映像データ２２０の異常受信データ部２７４の画面に相当する部分２７６とから、合成された映像データ２４０を作成する。また、このような合成を行った後、合成箇所を目立たなくするため、例えばＢＮＲ（Ｂｌｏｃｋ  Ｎｏｉｓｅ  Ｒｅｄｕｃｔｉｏｎ）、ＭＮＲ（Ｍｏｓｑｕｉｔｏ  Ｎｏｉｓｅ  Ｒｅｄｕｃｔｉｏｎ）、３ＤＮＲ（ｔｈｒｅｅ  ｄｉｍｅｎｓｉｏｎ  Ｎｏｉｓｅ  Ｒｅｄｕｃｔｉｏｎ）等のフィルターを使用してもよい。
【００４５】
この合成された映像データ２４０は、図１に示すように合成部１２６から表示用フレームバッファ１２８を経て表示部１３０へ送られ、表示部１３０で表示され、視聴者はこれを視聴することができる。なお、本実施の形態では、音声データは本発明の本質と直接関係しないので説明を省略している。
【００４６】
以上説明したように、標準放送用映像データ２２０の正常受信データ部２７２を最大限利用するとともに、降雨対策放送用映像データ２３０のうち標準放送用映像データ２２０の異常受信データ部２７４の画面に相当する部分２７６だけを利用することによって、映像データ２４０を合成しているので、受信できた映像情報から最も高画質な映像を可能な限り再現して視聴することが可能になる。したがって、降雨やその他の原因によってデジタルテレビ放送の受信が正常に行われなかったときにも、単に降雨対策放送用映像データに切り替えるだけではなく、受信できた映像情報を最大限利用し、受信できた範囲内で可能な限り高品質な画像を表示することができる。
【００４７】
（第２の実施の形態）
次に、本発明の第２の実施の形態によるデジタルテレビ放送受信装置について説明する。図３は、本発明の第２の実施の形態によるデジタルテレビ放送受信装置の主要部の構成を示すブロック図である。図３に示すデジタルテレビ放送受信装置２００は、スイッチ２０９、チューナー２１３、ＴＳデコーダ２１２、標準放送用バッファ２１４、降雨対策放送用バッファ２１６、ＭＰＥＧデコーダ２１８、標準放送用フレームバッファ２２２、降雨対策放送用フレームバッファ２２４、合成部２２６、表示用フレームバッファ２２８及び表示部２３０を備える。
【００４８】
放送局から放送され、アンテナ（図示省略）により受信された放送ストリームＢＣＳは、チューナー２１３に入力され、所定のチャンネルが選局される。選局された信号は、復調部２１５に送られ、復調部２１５により復調される。復調された信号は、ＴＳデコーダ２１２に入力される。ＴＳデコーダ２１２によりデコードされた映像データパケットは、標準放送用映像データパケットと降雨対策放送用映像データパケットとに分けられ、それぞれ標準放送用バッファ２１４と降雨対策放送用バッファ２１６とに一旦格納される。ここまでの処理は、上記第１の実施の形態のデジタルテレビ放送受信装置１００と同様であるから詳細な説明は省略する。
【００４９】
標準放送用バッファ２１４に格納された標準放送用映像データパケットと、降雨対策放送用バッファ２１６に格納された降雨対策放送用映像データパケットとは、スイッチ２０９を経由してＭＰＥＧデコーダ２１８に送られ、それぞれデコードされる。
【００５０】
すなわち、標準放送用映像データパケットと降雨対策放送用映像データパケットとは、ＴＳデコーダ２１２によりデコードされたＴＳストリーム中に時系列的に存在するため、両パケットをスイッチ２０９で切り替えながら、標準放送用映像データパケットと降雨対策放送用映像データパケットとがそれぞれ標準放送用バッファ２１４と降雨対策放送用バッファ２１６とから読み出される。ＭＰＥＧデコーダ２１８は、これら標準放送用映像データパケットと降雨対策放送用映像データパケットとをリアルタイムにデコードする。
【００５１】
ここで、第１実施の形態と同様に、ＭＰＥＧデコーダ２１８が標準放送用映像データパケットをデコードするとき、放送ストリームＢＣＳの受信が順調に行えなかったとか、その他の理由によって、標準放送用映像データパケットのデコードにエラーが発生することがある。
【００５２】
ＭＰＥＧデコーダ２１８がこのデコードエラーを検出し、そのデコードエラー情報を合成部２２６へ出力して後述する標準放送用映像データと降雨対策放送用映像データとの合成を行うために利用されることは、上記第１の実施の形態と同様である。また、ＭＰＥＧデコーダ２１８が実際に行うエラー検出方法も第１の実施の形態と同様であるから、詳細な説明は省略する。
【００５３】
本実施の形態では、ＭＰＥＧデコーダ２１８がデコードエラーを検出したとき、次の画像情報のデコードにエラーが検出された画像情報をそのまま使用するとデコード画像が劣化するため、エラーが検出された画像情報に相当する降雨対策放送用映像データの画像情報を降雨対策放送用フレームバッファ２２４から読み出し、この情報を次の画像情報のデコードに使用する。
【００５４】
このようにすることによって、デコードエラーを検出した画像情報をそのまま次の画像情報のデコードに使用しないので、次の画像情報のデコードによる劣化を防止することができる。
【００５５】
具体的には、ＭＰＥＧデコーダ２１８によりデコードされた標準放送用映像データとデコードエラー情報とは、合成部２２６へ送られる。一方、ＭＰＥＧデコーダ２１８によりデコードされた降雨対策放送用映像データは、それに同期して降雨対策放送用フレームバッファ２２４から読み出されて合成部２２６へ送られる。
【００５６】
ここで、図２を用いて合成部２２６の動作を具体的に説明する。合成部２２６は、デコードエラー情報を基に標準放送用映像データ２２０の正常受信データ部２７２と異常受信データ部２７４との判別を行う。次に、合成部２２６は、降雨対策放送用フレームバッファ２２４から入力された降雨対策放送用映像データ２３０から、上記判別した標準放送用映像データ２２０の異常受信データ部２７４の画面に相当する部分２７６を抽出する。
【００５７】
次に、合成部２２６は、標準放送用映像データ２２０の正常受信データ部２７２と、降雨対策放送用映像データ２３０中の標準放送用映像データ２２０の異常受信データ部２７４の画面に相当する部分２７６とから、合成された映像データ２４０を作成し、そのデータを標準放送用フレームバッファ２２２に格納する。
【００５８】
次に、上記のＭＰＥＧデコーダ２１８及び合成部２２６における処理をさらに詳細に説明する。ＭＰＥＧデコーダ２１８は、標準放送用映像データパケットと降雨対策放送用映像データパケットとを１フレーム毎に交互にデコードする。ここで、ＭＰＥＧデコーダ２１８は、降雨対策放送用映像データパケット、標準放送用映像データパケットの順で同一ＰＴＳのフレームのデコードを交互に行うが、標準放送用映像データパケットと降雨対策放送用映像データパケットとで同一ＰＴＳのフレームのピクチャ構造が異なる可能性を考慮して、降雨対策放送用フレームバッファ２２４の容量を通常のデコードに使用される容量より大きくし、ＭＰＥＧデコーダ２１８は、降雨対策放送用映像データパケットのデコードを数フレーム先行して行う。この場合、標準放送用映像データパケットとピクチャ構造が異なる降雨対策放送用映像データパケットを確実にデコードすることができる。
【００５９】
このとき、ＭＰＥＧデコーダ２１８は、降雨対策放送用フレームバッファ２２４を参照して、降雨対策放送用映像データパケットのデコードを行う。このデコード方法は、通常の映像データパケットの場合と同様であるので、詳細な説明は省略する。
【００６０】
また、ＭＰＥＧデコーダ２１８は、標準放送用フレームバッファ２２２を参照して、標準放送用映像データパケットのデコードを行い、合成部２２６を経由して、デコードした結果を標準放送用フレームバッファ２２２に書き込む。ここで、ＭＰＥＧデコーダ２１８と合成部２２６との通信は、１ピクチャ単位ではなく、ＭＰＥＧデコーダ２１８における１ピクチャ中の各レイヤのデコード毎に行われる。なお、ＭＰＥＧデコーダ２１８で行われる各レイヤのエラー検出方法は第１の実施の形態と同様であるため、詳細な説明は省略する。
【００６１】
図４は、図３に示す合成部２２６の構成を示すブロックである。合成部２２６は、デコード結果解析部２４１、画像変換部２４２及びスイッチ２４３を備える。デコード結果解析部２４１は、ＭＰＥＧデコーダ２１８から出力されるデコード結果を解析し、デコード結果に応じて画像変換部２４２及びスイッチ２４３を制御する。
【００６２】
ＭＰＥＧデコーダ２１８は、ピクチャレイヤのデコード後、そのピクチャのＰＴＳとデコード結果とを合成部２２６へ出力する。合成部２２６は、このフレームデータの領域を標準放送用フレームバッファ２２２に確保し、降雨対策放送用フレームバッファ２２４の同一ピクチャに相当する領域を調べる。合成部２２６のデコード結果解析部２４１は、デコード結果の解析を行う。デコード結果がエラーを示していない場合、合成部２２６は何もしない。
【００６３】
一方、デコード結果がエラーを示している場合、デコード結果解析部２４１は、画像変換部２４２に降雨対策放送用フレームバッファ２２４から該当するフレームデータを読み込むように指示するとともに、スイッチ２４３を画像変換部２４２側に切り替える。画像変換部２４２は、降雨対策放送用フレームバッファ２２４から該当するフレームデータを読み込み、解像度比率に応じて拡大又は縮小処理した後、スイッチ２４３を介して処理後のフレームデータを標準放送用フレームバッファ２２２の該当領域に書き込む。
【００６４】
また、ＭＰＥＧデコーダ２１８は、スライスレイヤのデコード後、デコード結果をデコード結果解析部２４１へ出力する。デコード結果解析部２４１は、ＭＰＥＧデコーダ２１８から出力されるデコード結果を解析し、デコード結果がエラーを示していない場合、合成部２２６は何もしない。
【００６５】
一方、デコード結果がエラーを示している場合、デコード結果解析部２４１は、画像変換部２４２に降雨対策放送用フレームバッファ２２４から該当するスライスデータを読み込むように指示するとともに、スイッチ２４３を画像変換部２４２側に切り替える。画像変換部２４２は、降雨対策放送用フレームバッファ２２４から該当するスライスデータを読み込み、解像度比率に応じて拡大又は縮小処理した後、スイッチ２４３を介して処理後のスライスデータを標準放送用フレームバッファ２２２の該当領域に書き込む。
【００６６】
また、ＭＰＥＧデコーダ２１８は、マクロブロックのデコード後、そのマクロブロックの位置、マクロブロックデータ及びデコード結果をデコード結果解析部２４１へ出力する。デコード結果解析部２４１は、ＭＰＥＧデコーダ２１８から出力されるデコード結果を解析し、デコード結果がエラーを示していない場合、スイッチ２４３をＭＰＥＧデコーダ２１８側に切り替え、ＭＰＥＧデコーダ２１８から出力されるマクロブロックデータを標準放送用フレームバッファ２２２の該当領域に書き込む。
【００６７】
一方、デコード結果がエラーを示している場合、デコード結果解析部２４１は、画像変換部２４２に降雨対策放送用フレームバッファ２２４から該当するマクロブロックデータを読み込むように指示するとともに、スイッチ２４３を画像変換部２４２側に切り替える。画像変換部２４２は、降雨対策放送用フレームバッファ２２４から該当するマクロブロックデータを読み込み、解像度比率に応じて拡大又は縮小処理した後、スイッチ２４３を介して処理後のマクロブロックデータを標準放送用フレームバッファ２２２の該当領域に書き込む。
【００６８】
その後、標準放送用フレームバッファ２２２は、書き込まれた映像データを表示フレーム用バッファ２２８に書き込み、合成された映像データが表示用フレームバッファ２２８を経て表示部２３０へ送られ、表示部２３０で表示され、視聴者はこれを視聴することができる。
【００６９】
このようにすることによって、標準放送用映像データパケットのデコード処理においてエラーが検出された場合でも、エラーの発生と同時に合成処理を行うことにより、標準放送用フレームバッファ２２２内にエラーのない映像データを格納することができる。したがって、次のデコード処理においてエラーによりデータが欠損した画像情報を参照することがなくなり、次のデコード処理に前回のデコード時のエラーを伝播させることを防止することができる。
【００７０】
以上説明したように、本実施の形態では、第１の実施の形態と同様の効果を得ることができるとともに、標準放送用映像データパケットと降雨対策放送用映像データパケットとをスイッチ２０９で切り替えながら、ＭＰＥＧデコーダ２１８がリアルタイムにこれらのデコードを行うことによって、１つのＭＰＥＧデコーダ２１８だけで標準放送用映像データパケットと降雨対策放送用映像データパケットとをデコードすることができる。
【００７１】
また、本実施の形態では、ＭＰＥＧデコーダ２１８がデコードエラーを検出したとき、次の画像情報のデコードにこのエラーを検出した画像情報をそのまま使用するとデコード画像が劣化するため、エラーを検出した画像情報に相当する降雨対策放送用映像データの画像情報を降雨対策放送用フレームバッファ２２４から読み出し、この情報を次の画像情報のデコードに使用する。これによってデコードエラーを検出した画像情報をそのまま次の画像情報のデコードに使用することがないので、次の画像情報のデコードによる劣化を防止することができる。
【００７２】
（第３の実施の形態）
次に、本発明の第３の実施の形態によるデジタルテレビ放送受信装置について説明する。第３の実施の形態は、ソフトウエアを用いて第１の実施の形態のデジタルテレビ放送受信装置による受信処理を実現するものである。図５は、本発明の第３の実施の形態によるデジタルテレビ放送受信装置の主要部の構成を示すブロック図である。
【００７３】
図５に示すデジタルテレビ放送受信装置３００は、チューナー３０１及びコンピュータ３１０を備え、コンピュータ３１０は、ＲＯＭ（リードオンリメモリ）３１１、ＣＰＵ（中央演算処理装置）３１２、ＲＡＭ（ランダムアクセスメモリ）３１３、外部記憶装置３１４、Ｉ／Ｆ（インターフェース）部３１５、入力部３１６、表示部３１７及び記録媒体駆動装置３１８を備える。
【００７４】
チューナー３０１は、チューナボード等から構成され、アンテナで受信された放送ストリームＢＣＳから所定のチャンネルを選局し、選局された信号をＩ／Ｆ部３１５を介してコンピュータ３００へ入力する。
【００７５】
コンピュータ３１０は、通常のパーソナルコンピュータ等から構成され、各ブロックは内部バスに接続され、このバスを介して種々のデータ等が入出力され、ＣＰＵ３１２の制御の下、種々の処理が実行される。
【００７６】
Ｉ／Ｆ部３１５は、所定のインターフェースボード等から構成され、チューナー３０１により選局された信号をＣＰＵ３１２等へ出力する。ＲＯＭ３１１には、ＢＩＯＳ（Basic Input/Output System）等のシステムプログラム等が記憶される。外部記憶装置３１４は、ハードディスクドライブ等から構成され、外部記憶装置３１４には所定のＯＳ（Operating System）及び後述する放送受信プログラム等が記憶される。
【００７７】
ＣＰＵ３１２は、外部記憶装置３１４から放送受信プログラム等を読み出し、後述する放送受信処理等を実行し、図１に示すＴＳデコーダ１１２、ＭＰＥＧデコーダ１１８，１２０及び合成部１２６として機能する。ＲＡＭ３１３は、ＣＰＵ３１２の作業領域等として用いられ、図１に示す標準放送用バッファ１１４、降雨対策放送用バッファ１１６、標準放送用フレームバッファ１２２、降雨対策放送用フレームバッファ１２４及び表示用フレームバッファ１２８として機能する。
【００７８】
入力部３１６は、キーボード、マウス等から構成され、ユーザが種々の操作指令等を入力するために使用される。表示部３１７は、液晶表示装置等から構成され、ＣＰＵ３１２の制御の下に低画質映像により補間された高画質映像等を表示する。記録媒体駆動装置３１８は、ＤＶＤドライブ等から構成される。
【００７９】
なお、放送受信プログラムをＤＶＤ−ＲＯＭ等のコンピュータ読み取り可能な記録媒体３１９に記録し、記録媒体駆動装置３１８により記録媒体３１９から放送受信プログラムを読み出して外部記憶装置３１４にインストールして実行するようにしてもよい。また、放送受信プログラムが所定のネットワークを介して図５に示すデジタルテレビ放送受信装置３００に接続された他のコンピュータ等に記憶されている場合、当該コンピュータからネットワークを介して放送受信プログラムをダウンロードして実行するようにしてもよい。
【００８０】
次に、上記のように構成されたデジタルテレビ放送受信装置３００による放送受信処理について説明する。図６は、図５に示すデジタルテレビ放送受信装置３００による放送受信処理を説明するためのフローチャートである。
【００８１】
まず、ＣＰＵ３１２は、ステップＳ１において、選局された信号に対して復調処理を実行し、ステップＳ２において、復調された信号をデコードして標準放送用映像データパケットと降雨対策放送用映像データパケットとを生成し、それぞれＲＡＭ３１３の標準放送用バッファ領域と降雨対策放送用バッファ領域とに一旦格納させる。
【００８２】
次に、ステップＳ３において、ＣＰＵ３１２は、ＲＡＭ３１３の標準放送用バッファ領域と降雨対策放送用バッファ領域とから標準放送用映像データパケットと降雨対策放送用映像データパケットとを読み出してデコードし、標準放送用映像データと降雨対策放送用映像データとをそれぞれＲＡＭ３１３の標準放送用フレームバッファ領域と降雨対策放送用フレームバッファ領域とに格納させる。
【００８３】
次に、ステップＳ４において、ＣＰＵ３１２は、ステップＳ３における標準放送用映像データパケットのデコード時に、放送ストリームＢＣＳの受信が順調に行えなかったとか、その他の理由によって、標準放送用映像データパケットのデコード処理においてエラーが発生したか否かを検出してデコードエラー情報を作成し、デコードエラーが発生した場合はステップＳ５へ処理を移行し、デコードエラーが発生していない場合はステップＳ６へ処理を移行する。
【００８４】
デコードエラーが発生した場合、ステップＳ５において、ＣＰＵ３１２は、標準放送用映像データのデコードエラー情報を基に標準放送用映像データの正常受信データ部と異常受信データ部との判別を行う。次に、ＣＰＵ３１２は、ＲＡＭ３１３の降雨対策放送用フレームバッファ領域に格納されている降雨対策放送用映像データから標準放送用映像データの異常受信データ部の画面に相当する部分を抽出し、標準放送用映像データの正常受信データ部と上記の相当部分とを合成した映像データを作成する。
【００８５】
一方、デコードエラーが発生していない場合又はステップＳ５の処理が終了した後、ステップＳ６において、ＣＰＵ３１２は、合成された映像データをＲＡＭ３１３の表示用フレームバッファ領域に格納し、ステップＳ７において、表示用フレームバッファ領域に格納されている映像データを表示部３１７に表示させる。
【００８６】
上記の処理により、本実施の形態においても、第１の実施の形態と同様の効果を得ることができるとともに、ソフトウエアにより各処理を実行することができるので、各処理の変更等を容易に行うことができる。例えば、上記の放送受信プログラムの一部を変更することにより、第２の実施の形態のデジタルテレビ放送受信装置による受信処理を以下のようにして実現することができる。
【００８７】
この場合、ＣＰＵ３１２は、図３に示すスイッチ２０９、ＴＳデコーダ２１２、ＭＰＥＧデコーダ２１８及び合成部２２６として機能し、ＲＡＭ３１３は、図３に示す標準放送用バッファ２１４、降雨対策放送用バッファ２１６、標準放送用フレームバッファ２２２、降雨対策放送用フレームバッファ２２４及び表示用フレームバッファ２２８として機能する。
【００８８】
図７は、図５に示すデジタルテレビ放送受信装置３００による他の放送受信処理を説明するためのフローチャートである。まず、ステップＳ１１及びＳ１２において、図６に示すステップＳ１及びＳ２と同様の処理が実行される。次に、ステップＳ１３において、ＣＰＵ３１２は、ＲＡＭ３１３の降雨対策放送用バッファ領域と標準放送用バッファ領域とから降雨対策放送用映像データパケットと標準放送用映像データパケットとを交互に読出し、降雨対策放送用映像データパケットを読み出した場合はステップＳ１９へ処理を移行し、標準放送用映像データパケットを読み出した場合はステップＳ１４へ処理を移行する。
【００８９】
降雨対策放送用映像データパケットを読み出した場合、ステップＳ１９において、ＣＰＵ３１２は、ＲＡＭ３１３の降雨対策放送用フレームバッファ領域を参照して降雨対策放送用映像データパケットをデコードし、降雨対策放送用映像データをＲＡＭ３１３の降雨対策放送用フレームバッファ領域に格納させ、その後、ステップＳ１３へ処理を移行してステップＳ１３以降の処理を繰り返す。
【００９０】
一方、標準放送用映像データパケットを読み出した場合、ステップＳ１４において、ＣＰＵ３１２は、ＲＡＭ３１３の標準放送用フレームバッファ領域を参照して標準放送用映像データパケットをデコードする。
【００９１】
次に、ステップＳ１５において、ＣＰＵ３１２は、標準放送用映像データパケットのデコード処理においてエラーが発生したか否かを検出してデコードエラー情報を作成し、デコードエラーが発生した場合はステップＳ１６へ処理を移行し、デコードエラーが発生していない場合はステップＳ２０へ処理を移行する。
【００９２】
デコードエラーが発生した場合、ステップＳ１６において、ＣＰＵ３１２は、標準放送用映像データのデコードエラー情報を基にＲＡＭ３１３の降雨対策放送用フレームバッファ領域に格納されている降雨対策放送用映像データから標準放送用映像データの異常受信データ部の画面に相当する部分を抽出し、解像度比率に応じて拡大又は縮小処理した後、処理後の映像データをＲＡＭ３１３の標準放送用フレームバッファ領域の該当部分に書き込む。
【００９３】
一方、デコードエラーが発生していない場合、ステップＳ２０において、ＣＰＵ３１２は、デコードされた標準放送用映像データをＲＡＭ３１３の標準放送用フレームバッファ領域の該当部分に書き込む。
【００９４】
その後、ステップＳ１７において、ＣＰＵ３１２は、ＲＡＭ３１３の標準放送用フレームバッファ領域に書き込まれた映像データをＲＡＭ３１３の表示用フレームバッファ領域に格納し、ステップＳ１８において、表示用フレームバッファ領域に格納されている映像データを表示部３１７に表示させる。このようにして、第２の実施の形態による受信処理を実現することができ、同様の効果を得ることができる。
【００９５】
なお、本実施の形態では、ソフトウエアを用いてチューナー受信後の処理を実現する例を説明したが、ソフトウエアで実現する処理は上記の例に特に限定されず、復調処理まで、ＴＳデコード処理まで又はＭＰＥＧデコード処理までをハードウエアで実現し、その後の処理をソフトウエアで実現する等の種々の変更が可能である。
【産業上の利用可能性】
【００９６】
以上説明したように本発明によれば、降雨やその他の原因によってデジタルテレビ放送の受信が正常に行われなかったときにも、単に降雨対策放送用映像データに切り替えるだけではなく、標準放送用映像データの正常に受信できた部分を最大限利用して視聴画像を合成するため、受信できた範囲内で可能な限り高品質な画像をユーザは視聴することができ、その産業上の利用可能性は極めて大きい。
【図面の簡単な説明】
【００９７】
【図１】本発明の第１の実施の形態によるデジタルテレビ放送受信装置の主要部の構成を示すブロック図である。
【図２】図１に示すデジタルテレビ放送受信装置の表示画面データを合成する方法を説明するための模式図である。
【図３】本発明の第２の実施の形態によるデジタルテレビ放送受信装置の主要部の構成を示すブロック図である。
【図４】図３に示す合成部の構成を示すブロックである。
【図５】本発明の第３の実施の形態によるデジタルテレビ放送受信装置の主要部の構成を示すブロック図である。
【図６】図５に示すデジタルテレビ放送受信装置による放送受信処理を説明するためのフローチャートである。
【図７】図５に示すデジタルテレビ放送受信装置による他の放送受信処理を説明するためのフローチャートである。
【図８】従来のＢＳデジタルテレビ放送受信装置の主要部のブロック構成図である。
【図１】
2007525873.tif 000003
【図２】
2007525873.tif 000004
【図３】
2007525873.tif 000005
【図４】
2007525873.tif 000006
【図５】
2007525873.tif 000007
【図６】
2007525873.tif 000008
【図７】
2007525873.tif 000009
【図８】
2007525873.tif 000010